(57)【要約】【課題】  同乗者から走行中、テレビ放送を試聴したという要望に応えることができ、使用者の利便性を向上させる。【解決手段】  無線通信を介してＭＰＥＧ４データをデコードすることが可能な携帯機器にデータ送信することが可能な無線通信機能を有し、カーナビゲーション機能が動作している時でもテレビ放送受信機能を動作させ、受信したテレビ放送信号をＭＰＥＧ４データに変換し、携帯機器にデータ送信することで、携帯機器所有者は走行中、明瞭にテレビ放送を視聴することが可能となる。【選択図】  図１
2006245890.tif 000002
【特許請求の範囲】
【請求項１】
無線通信を介してＭＰＥＧ４データをデコードすることが可能な携帯機器にデータ送信することが可能な無線送信手段と、デジタル放送を受信するデジタル放送受信手段と、受信した前記デジタル放送のトランスポートストリームデータからＭＰＥＧ２データを抽出する抽出手段と、抽出された前記ＭＰＥＧ２データをヘッダーとＭＰＥＧ４データから構成される受信放送データに変換する受信放送データ作成手段とを備え、前記無線送信手段は、前記受信放送データを前記携帯機器に無線で送信することを特徴とする車載用テレビ放送受信装置。
【請求項２】
前記受信放送データを受信可能である前記携帯機器の固有識別番号が予め登録されている携帯受信機器管理手段を備えた請求項１記載の車載用テレビ放送受信装置。
【請求項３】
前記携帯機器より前記固有識別番号及び前記受信放送データを要求する受信要求コマンドを受信する無線受信手段を備えた請求項２記載の車載用テレビ放送受信装置。
【請求項４】
前記デジタル放送受信手段にて受信するデジタル放送には画像データ、音声データ及び文字データが含まれる請求項１，２または３記載の車載用テレビ放送受信装置。
【請求項５】
前記携帯機器が画像データ、音声データ及び文字データのうち何れのデータを受信可能であるかを識別するデジタル放送受信データ識別手段を備える請求項４記載の車載用テレビ放送受信装置。
【請求項６】
前記携帯機器が画像データ、音声データ及び文字データのうち何れのデータを受信可能であるかの情報が予め登録されているデジタル放送受信データ管理手段を備え、前記デジタル放送受信データ識別手段は、前記デジタル放送受信データ管理手段に登録される情報に基づいて前記携帯機器が何れのデータを受信可能かを識別する請求項５記載の車載用テレビ放送受信装置。
【請求項７】
前記デジタル放送受信データ識別手段は、前記携帯機器から取得した固有識別番号に基づいて前記携帯機器が画像データ、音声データ及び文字データのうち何れのデータを受信可能であるかを識別する請求項６記載の車載用テレビ放送受信装置。
【請求項８】
前記無線送信手段は、前記携帯機器が画像データ、音声データ及び文字データのうち受信可能であるデータにのみ対応する前記受信放送データを前記携帯機器に送信する請求項５，６または７記載の車載用テレビ放送受信装置。
【請求項９】
アナログ放送を受信するアナログ放送受信手段と、前記アナログ放送受信手段にて受信したアナログ放送に含まれるアナログオーディオ信号をＭＰＥＧ４の音声データにエンコードし、前記アナログ放送受信手段にて受信したアナログ放送に含まれるアナログビデオ信号をＭＰＥＧ４の画像データにエンコードするエンコード手段とを備え、無線送信手段は、前記ＭＰＥＧ４の音声データおよび画像データを携帯機器に無線で送信する請求項１，２，３，４，５，６，７または８記載の車載用テレビ放送受信装置。
【請求項１０】
前記携帯機器が前記デジタル放送受信手段による受信放送データ、前記アナログ放送受信手段による受信放送データのうち何れのデータを受信可能であるかを識別する受信チューナー識別手段を備える請求項９記載の車載用テレビ放送受信装置。
【請求項１１】
前記携帯機器が前記デジタル放送受信手段による受信放送データ、前記アナログ放送受信手段による受信放送データのうち何れのデータを受信可能であるかの情報が予め登録されている受信チューナー管理手段を備え、前記受信チューナー識別手段は前記受信チューナー管理手段に登録される情報に基づいて前記携帯機器が何れのデータを受信可能かを識別する請求項１０記載の車載用テレビ放送受信装置。
【請求項１２】
前記受信チューナー識別手段は、前記携帯機器から取得した前記固有識別番号に基づいて前記携帯機器が前記デジタル放送受信手段による受信放送データ、前記アナログ放送受信手段による受信放送データのうち何れのデータを受信可能であるかを識別する請求項１１記載の車載用テレビ放送受信装置。
【請求項１３】
前記無線送信手段は、前記携帯機器が前記デジタル放送受信手段による受信放送データ、前記アナログ放送受信手段による受信放送データのうち受信可能であるデータのみ前記携帯機器に送信する請求項１０，１１または１２記載の車載用テレビ放送受信装置。
【請求項１４】
前記携帯機器より前記デジタル放送受信手段及び前記アナログ放送受信手段を制御するチューナー制御コマンドを前記無線受信手段により受信する請求項１３記載の車載用テレビ放送受信装置。
【請求項１５】
前記携帯機器が前記デジタル放送受信手段、前記アナログ放送受信手段のうち何れの放送受信手段を制御可能であるかを識別する制御チューナー識別手段を備える請求項１４記載の車載用テレビ放送受信装置。
【請求項１６】
前記携帯機器が前記デジタル放送受信手段、前記アナログ放送受信手段のうち何れの放送受信手段を制御可能であるかの情報が予め登録されている制御チューナー管理手段を備え、前記制御チューナー識別手段は前記制御チューナー管理手段に登録される情報に基づいて前記携帯機器が何れの放送受信手段を制御可能かを識別する請求項１５記載の車載用テレビ放送受信装置。
【請求項１７】
前記制御チューナー識別手段は、前記携帯機器から取得した前記固有識別番号に基づいて前記携帯機器が前記デジタル放送受信手段、前記アナログ放送受信手段のうち何れの放送受信手段を制御可能であるかを識別する請求項１６記載の車載用テレビ放送受信装置。
【請求項１８】
前記携帯機器が前記デジタル放送受信手段、前記アナログ放送受信手段のうち制御可能である放送受信手段のみに前記チューナー制御コマンドの設定を行う制御手段を備えた請求項１４，１５，１６または１７記載の車載用テレビ放送受信装置。
【請求項１９】
無線通信を介して第一のエンコード形式のデータをデコードすることが可能な携帯機器にデータ送信することが可能な無線送信手段と、デジタル放送を受信するデジタル放送受信手段と、受信した前記デジタル放送のトランスポートストリームデータから前記第一のエンコード形式と異なる第二のエンコード形式のデータを抽出する抽出手段と、抽出された前記第二のエンコード形式のデータをヘッダーと前記第一のエンコード形式のデータから構成される受信放送データに変換する受信放送データ作成手段とを備え、前記無線送信手段は、前記受信放送データを前記携帯機器に無線で送信することを特徴とする車載用テレビ放送受信装置。
【発明の詳細な説明】
【技術分野】
【０００１】
本発明は、車載用テレビ放送受信装置に関するものである。
【背景技術】
【０００２】
従来の車載用テレビ放送受信装置は、カーナビゲーション機能も備えていて、運転手のわき見運転による事故を防止するために、走行中はカーナビゲーション機能による表示が優先されてディスプレイに表示される。また、運転手が操作しやすい前方ダッシュボードに設置されていて、備えているディスプレイも小さい。
【０００３】
図３１は従来の車載用テレビ放送受信装置を構成するカーナビゲーション装置概略ブロック図である。図３１において、７０１はデジタル放送用アンテナ、７０２はデジタル放送受信部、７０３はデコーダ部、７０４はデコーダ用ＲＡＭ、７０５はアナログ放送用アンテナ、７０６はアナログ放送受信部、７０７はＶＲＡＭ、７０８は切り替え部、７０９はＡｕｄｉｏ ＤＡＣ、７１０はスピーカー、７１１はＬＣＤ制御部、７１２はＬＣＤ、７１３はタッチパネル、７１４はＧＰＳ用アンテナ、７１５はＧＰＳ、７１６は蓄積部、７１７は不揮発性記憶部、７１８は制御部、７１９は指令入力部、７２０は記憶部である。
【０００４】
制御部７１８は、不揮発性記憶部７１７に記憶されているプログラムに従って、デジタル放送受信部７０２、デコーダ部７０３、アナログ放送受信部７０６、ＶＲＡＭ７０７、切り替え部７０８、Ａｕｄｉｏ ＤＡＣ７０９、ＬＣＤ制御部７１１、ＧＰＳ７１５、蓄積部７１６、指令入力部７１９、記憶部７２０の制御を行なう。
【０００５】
デジタル放送選局処理は、デジタル放送用アンテナ７０１とデジタル放送受信部７０２が視聴者の所望する放送局を含むトランスポンダから出力されるトランスポートストリームを受信し、デコーダ部７０３が受信されたトランスポートストリームの中から視聴者の所望する放送局のＭＰＥＧ２データを抽出し、デジタルオーディオデータ、デジタルビデオデータに復元することで実現される。
【０００６】
アナログ放送選局処理は、アナログ放送用アンテナ７０５とアナログ放送受信部７０６が視聴者の所望する放送局を受信することで実現される。
【０００７】
オーディオ、ビデオ出力モード処理は、デコーダ部７０３の出力か、アナログ受信部７０６の出力か、ＶＲＡＭ７０７、記憶部７２０の出力かを切り替え部７０８で選択することで実現される。
【０００８】
上記のように構成された車載用テレビ放送受信装置について、以下その動作を図３２〜３５のフローチャートに従って説明する。
【０００９】
電源投入後、使用者は初期設定を行うかどうかを選択することができる(ＳＴＥＰ８０１）。使用者が初期設定を行う場合(ＳＴＥＰ８０１のＹＥＳ)、初期設定処理が行われる(ＳＴＥＰ８０２)。
【００１０】
機器はカーナビゲーションモード処理(ＳＴＥＰ８０３)、デジタル放送受信モード処理(ＳＴＥＰ８０４)、アナログ放送受信モード処理(ＳＴＥＰ８０５)、オーディオ、ビデオ出力モード処理(ＳＴＥＰ８０６)、等の各処理を実行する。
【００１１】
カーナビゲーションモード処理は、カーナビゲーション処理を実行する(ＳＴＥＰ８０７)ことで実現される。
【００１２】
デジタル放送受信モード処理は、デジタル放送受信部の設定処理を行い(ＳＴＥＰ８０８)、視聴者の所望する放送局を含むトランスポンダから出力されるトランスポートストリームを受信し、デコーダ部の設定処理を行い(ＳＴＥＰ８０９)、受信されたトランスポートストリームの中から視聴者の所望する放送局のＭＰＥＧ２データを抽出し、デジタルオーディオデータ、デジタルビデオデータに復元することで実現される。
【００１３】
アナログ放送受信モード処理は、アナログ放送受信部の設定処理を行い(ＳＴＥＰ８１０)、視聴者の所望する放送局を受信することで実現される。
【００１４】
オーディオ、ビデオ出力モード処理は、走行中の場合(ＳＴＥＰ８１１のＹＥＳ)、切り替え部の設定処理を行い（ＳＴＥＰ８１３）、オーディオは記憶部からの出力、ビデオはＶＲＡＭからの出力を選択する。走行中でない場合(ＳＴＥＰ８１１のＮＯ)、カーナビゲーション機能が優先されているか判断して(ＳＴＥＰ８１２)、優先されている場合(ＳＴＥＰ８１２のＹＥＳ)、切り替え部の設定処理を行い(ＳＴＥＰ８１３)、オーディオは記憶部からの出力、ビデオはＶＲＡＭからの出力を選択する。優先されていない場合(ＳＴＥＰ８１２のＮＯ)、切り替え部の設定処理を行い(ＳＴＥＰ８１４)、オーディオはデコーダ部からの出力、ビデオはデコーダ部からの出力を選択する。最後に、Ａｕｄｉｏ ＤＡＣの設定処理（ＳＴＥＰ８１５）、ＬＣＤ制御部の設定処理を行い(ＳＴＥＰ８１６)、オーディオ、ビデオをスピーカー、ＬＣＤから出力する。
【特許文献１】特開２００１−２３９８９７号公報（特願２０００−５２３５３号）
【特許文献２】特開２００３−６９４７１号公報（特願２００１−２５４１０２号）
【発明の開示】
【発明が解決しようとする課題】
【００１５】
しかしながら、上記従来の技術では、走行中に同乗者がテレビ放送を見ることができない。また、後部座席の同乗者がディスプレイに映し出されている映像を明瞭に見ることが困難であるという課題がある。
【００１６】
したがって、本発明の目的は、上記従来の課題を解決するもので、同乗者から走行中、テレビ放送を試聴したという要望に応えることができ、使用者の利便性を向上させることができる車載用テレビ放送受信装置を提供することである。
【課題を解決するための手段】
【００１７】
上記目的を達成するために本発明の請求項１記載の車載用テレビ放送受信装置は、無線通信を介してＭＰＥＧ４データをデコードすることが可能な携帯機器にデータ送信することが可能な無線送信手段と、デジタル放送を受信するデジタル放送受信手段と、受信した前記デジタル放送のトランスポートストリームデータからＭＰＥＧ２データを抽出する抽出手段と、抽出された前記ＭＰＥＧ２データをヘッダーとＭＰＥＧ４データから構成される受信放送データに変換する受信放送データ作成手段とを備え、前記無線送信手段は、前記受信放送データを前記携帯機器に無線で送信する。
【００１８】
請求項２記載の車載用テレビ放送受信装置は、請求項１記載の車載用テレビ放送受信装置において、前記受信放送データを受信可能である前記携帯機器の固有識別番号が予め登録されている携帯受信機器管理手段を備えた。
【００１９】
請求項３記載の車載用テレビ放送受信装置は、請求項２記載の車載用テレビ放送受信装置において、前記携帯機器より前記固有識別番号及び前記受信放送データを要求する受信要求コマンドを受信する無線受信手段を備えた。
【００２０】
請求項４記載の車載用テレビ放送受信装置は、請求項１，２または３記載の車載用テレビ放送受信装置において、前記デジタル放送受信手段にて受信するデジタル放送には画像データ、音声データ及び文字データが含まれる。
【００２１】
請求項５記載の車載用テレビ放送受信装置は、請求項４記載の車載用テレビ放送受信装置において、前記携帯機器が画像データ、音声データ及び文字データのうち何れのデータを受信可能であるかを識別するデジタル放送受信データ識別手段を備える。
【００２２】
請求項６記載の車載用テレビ放送受信装置は、請求項５記載の車載用テレビ放送受信装置において、前記携帯機器が画像データ、音声データ及び文字データのうち何れのデータを受信可能であるかの情報が予め登録されているデジタル放送受信データ管理手段を備え、前記デジタル放送受信データ識別手段は、前記デジタル放送受信データ管理手段に登録される情報に基づいて前記携帯機器が何れのデータを受信可能かを識別する。
【００２３】
請求項７記載の車載用テレビ放送受信装置は、請求項６記載の車載用テレビ放送受信装置において、前記デジタル放送受信データ識別手段は、前記携帯機器から取得した固有識別番号に基づいて前記携帯機器が画像データ、音声データ及び文字データのうち何れのデータを受信可能であるかを識別する。
【００２４】
請求項８記載の車載用テレビ放送受信装置は、請求項５，６または７記載の車載用テレビ放送受信装置において、前記無線送信手段は、前記携帯機器が画像データ、音声データ及び文字データのうち受信可能であるデータにのみ対応する前記受信放送データを前記携帯機器に送信する。
【００２５】
請求項９記載の車載用テレビ放送受信装置は、請求項１，２，３，４，５，６，７または８記載の車載用テレビ放送受信装置において、アナログ放送を受信するアナログ放送受信手段と、前記アナログ放送受信手段にて受信したアナログ放送に含まれるアナログオーディオ信号をＭＰＥＧ４の音声データにエンコードし、前記アナログ放送受信手段にて受信したアナログ放送に含まれるアナログビデオ信号をＭＰＥＧ４の画像データにエンコードするエンコード手段とを備え、無線送信手段は、前記ＭＰＥＧ４の音声データおよび画像データを携帯機器に無線で送信する。
【００２６】
請求項１０記載の車載用テレビ放送受信装置は、請求項９記載の車載用テレビ放送受信装置において、前記携帯機器が前記デジタル放送受信手段による受信放送データ、前記アナログ放送受信手段による受信放送データのうち何れのデータを受信可能であるかを識別する受信チューナー識別手段を備える。
【００２７】
請求項１１記載の車載用テレビ放送受信装置は、請求項１０記載の車載用テレビ放送受信装置において、前記携帯機器が前記デジタル放送受信手段による受信放送データ、前記アナログ放送受信手段による受信放送データのうち何れのデータを受信可能であるかの情報が予め登録されている受信チューナー管理手段を備え、前記受信チューナー識別手段は前記受信チューナー管理手段に登録される情報に基づいて前記携帯機器が何れのデータを受信可能かを識別する。
【００２８】
請求項１２記載の車載用テレビ放送受信装置は、請求項１１記載の車載用テレビ放送受信装置において、前記受信チューナー識別手段は、前記携帯機器から取得した前記固有識別番号に基づいて前記携帯機器が前記デジタル放送受信手段による受信放送データ、前記アナログ放送受信手段による受信放送データのうち何れのデータを受信可能であるかを識別する。
【００２９】
請求項１３記載の車載用テレビ放送受信装置は、請求項１０，１１または１２記載の車載用テレビ放送受信装置において、前記無線送信手段は、前記携帯機器が前記デジタル放送受信手段による受信放送データ、前記アナログ放送受信手段による受信放送データのうち受信可能であるデータのみ前記携帯機器に送信する。
【００３０】
請求項１４記載の車載用テレビ放送受信装置は、請求項１３記載の車載用テレビ放送受信装置において、前記携帯機器より前記デジタル放送受信手段及び前記アナログ放送受信手段を制御するチューナー制御コマンドを前記無線受信手段により受信する。
【００３１】
請求項１５記載の車載用テレビ放送受信装置は、請求項１４記載の車載用テレビ放送受信装置において、前記携帯機器が前記デジタル放送受信手段、前記アナログ放送受信手段のうち何れの放送受信手段を制御可能であるかを識別する制御チューナー識別手段を備える。
【００３２】
請求項１６記載の車載用テレビ放送受信装置は、請求項１５記載の車載用テレビ放送受信装置において、前記携帯機器が前記デジタル放送受信手段、前記アナログ放送受信手段のうち何れの放送受信手段を制御可能であるかの情報が予め登録されている制御チューナー管理手段を備え、前記制御チューナー識別手段は前記制御チューナー管理手段に登録される情報に基づいて前記携帯機器が何れの放送受信手段を制御可能かを識別する。
【００３３】
請求項１７記載の車載用テレビ放送受信装置は、請求項１６記載の車載用テレビ放送受信装置において、前記制御チューナー識別手段は、前記携帯機器から取得した前記固有識別番号に基づいて前記携帯機器が前記デジタル放送受信手段、前記アナログ放送受信手段のうち何れの放送受信手段を制御可能であるかを識別する。
【００３４】
請求項１８記載の車載用テレビ放送受信装置は、請求項１４，１５，１６または１７記載の車載用テレビ放送受信装置において、前記携帯機器が前記デジタル放送受信手段、前記アナログ放送受信手段のうち制御可能である放送受信手段のみに前記チューナー制御コマンドの設定を行う制御手段を備えた。
【００３５】
請求項１９記載の車載用テレビ放送受信装置は、無線通信を介して第一のエンコード形式のデータをデコードすることが可能な携帯機器にデータ送信することが可能な無線送信手段と、デジタル放送を受信するデジタル放送受信手段と、受信した前記デジタル放送のトランスポートストリームデータから前記第一のエンコード形式と異なる第二のエンコード形式のデータを抽出する抽出手段と、抽出された前記第二のエンコード形式のデータをヘッダーと前記第一のエンコード形式のデータから構成される受信放送データに変換する受信放送データ作成手段とを備え、前記無線送信手段は、前記受信放送データを前記携帯機器に無線で送信する。
【発明の効果】
【００３６】
本発明の請求項１記載の車載用テレビ放送受信装置によれば、抽出手段により抽出されたＭＰＥＧ２データをヘッダーとＭＰＥＧ４データから構成される受信放送データに変換する受信放送データ作成手段を備え、無線送信手段は、受信放送データを携帯機器に無線で送信するので、カーナビゲーション機能を備えていて動作している時でもテレビ放送受信機能を動作させ、受信したテレビ放送信号をＭＰＥＧ４データに変換し、無線通信を介してＭＰＥＧ４データをデコードすることが可能な携帯機器にデータ送信することが可能となる。また、同乗者の利便性向上を目的として、携帯機器所有者は、車載用テレビ放送受信装置がチューナーを複数搭載している場合、所望するチューナーで受信したテレビ放送の視聴が可能である。
【００３７】
請求項２では、受信放送データを受信可能である携帯機器の固有識別番号が予め登録されている携帯受信機器管理手段を備えているので、受信放送データを受信可能である携帯機器を識別できる。
【００３８】
請求項３では、携帯機器より固有識別番号及び受信放送データを要求する受信要求コマンドを受信する無線受信手段を備えているので、デジタル放送受信要求の設定を行うことができる。
【００３９】
請求項４では、デジタル放送受信手段にて受信するデジタル放送には画像データ、音声データ及び文字データが含まれるので、画像データ、音声データ、文字データのなかで、所望するデータの視聴が可能である。
【００４０】
請求項５では、携帯機器が画像データ、音声データ及び文字データのうち何れのデータを受信可能であるかを識別するデジタル放送受信データ識別手段を備えているので、携帯機器が受信可能なデジタル放送受信データを識別することができ利便性が向上する。
【００４１】
請求項６では、請求項５記載の車載用テレビ放送受信装置において、携帯機器が画像データ、音声データ及び文字データのうち何れのデータを受信可能であるかの情報が予め登録されているデジタル放送受信データ管理手段を備え、デジタル放送受信データ識別手段は、デジタル放送受信データ管理手段に登録される情報に基づいて携帯機器が何れのデータを受信可能かを識別するので、デジタル放送受信データ管理手段に登録された情報により操作性が向上する。
【００４２】
請求項７では、請求項６記載の車載用テレビ放送受信装置において、デジタル放送受信データ識別手段は、携帯機器から取得した固有識別番号に基づいて携帯機器が画像データ、音声データ及び文字データのうち何れのデータを受信可能であるかを識別するので、固有識別番号により携帯機器が受信可能なデータの識別が容易になる。
【００４３】
請求項８では、無線送信手段は、携帯機器が画像データ、音声データ及び文字データのうち受信可能であるデータにのみ対応する受信放送データを携帯機器に送信するので、不要なデータ送信をなくすことができる。
【００４４】
請求項９では、アナログ放送を受信するアナログ放送受信手段と、アナログ放送受信手段にて受信したアナログ放送に含まれるアナログオーディオ信号をＭＰＥＧ４の音声データにエンコードし、アナログ放送受信手段にて受信したアナログ放送に含まれるアナログビデオ信号をＭＰＥＧ４の画像データにエンコードするエンコード手段とを備え、無線送信手段は、ＭＰＥＧ４の音声データおよび画像データを携帯機器に無線で送信するので、携帯機器でアナログ放送を受信することができる。
【００４５】
請求項１０では、携帯機器がデジタル放送受信手段による受信放送データ、アナログ放送受信手段による受信放送データのうち何れのデータを受信可能であるかを識別する受信チューナー識別手段を備えるので、携帯機器が受信可能な受信放送データを識別することができ利便性が向上する。
【００４６】
請求項１１では、受信チューナー識別手段は受信チューナー管理手段に登録される情報に基づいて前記携帯機器が何れのデータを受信可能かを識別するので、受信チューナー管理手段に登録された情報により操作性が向上する。
【００４７】
請求項１２では、受信チューナー識別手段は、携帯機器から取得した固有識別番号に基づいて携帯機器がデジタル放送受信手段による受信放送データ、アナログ放送受信手段による受信放送データのうち何れのデータを受信可能であるかを識別するので、固有識別番号により携帯機器の受信可能なデータの識別が容易になる。
【００４８】
請求項１３では、無線送信手段は、携帯機器が前記デジタル放送受信手段による受信放送データ、アナログ放送受信手段による受信放送データのうち受信可能であるデータのみ携帯機器に送信するので、不要なデータ送信をなくすことができる。
【００４９】
請求項１４では、携帯機器よりデジタル放送受信手段及びアナログ放送受信手段を制御するチューナー制御コマンドを無線受信手段により受信するので、デジタル放送受信要求またはアナログ放送受信要求の設定を行うことができる。
【００５０】
請求項１５では、携帯機器がデジタル放送受信手段、アナログ放送受信手段のうち何れの放送受信手段を制御可能であるかを識別する制御チューナー識別手段を備えるので、携帯機器が制御可能な放送受信手段を識別することができ利便性が向上する。
【００５１】
請求項１６では、制御チューナー識別手段は制御チューナー管理手段に登録される情報に基づいて携帯機器が何れの放送受信手段を制御可能かを識別するので、制御チューナー管理手段に登録された情報により操作性が向上する。
【００５２】
請求項１７では、制御チューナー識別手段は、携帯機器から取得した固有識別番号に基づいて携帯機器がデジタル放送受信手段、アナログ放送受信手段のうち何れの放送受信手段を制御可能であるかを識別するので、固有識別番号により携帯機器が制御可能な放送受信手段の識別が容易になる。
【００５３】
請求項１８では、携帯機器がデジタル放送受信手段、アナログ放送受信手段のうち制御可能である放送受信手段のみにチューナー制御コマンドの設定を行う制御手段を備えたので、不要な放送受信要求の設定をなくすことができる。
【００５４】
本発明の請求項１９記載の車載用テレビ放送受信装置によれば、抽出手段により抽出された第二のエンコード形式のデータをヘッダーと第一のエンコード形式のデータから構成される受信放送データに変換する受信放送データ作成手段を備え、無線送信手段は、受信放送データを携帯機器に無線で送信するので、請求項１と同様の効果が得られる。
【発明を実施するための最良の形態】
【００５５】
以下、本発明の実施形態を図１〜図３０に基づいて説明する。
【００５６】
図１は本発明の実施形態における車載用テレビ放送受信装置概略ブロック図である。図１において、１０１はデジタル放送用アンテナ、１０２はデジタル放送受信部、１０３はデコーダ部（抽出手段）、１０４はデコーダ用ＲＡＭ、１０５はアナログ放送用アンテナ、１０６はアナログ放送受信部、１０７はエンコーダ部、１０８はエンコーダ用ＲＡＭ、１０９はＶＲＡＭ、１１０は切り替え部、１１１はＡｕｄｉｏ ＤＡＣ、１１２はスピーカー、１１３はＬＣＤ制御部、１１４はＬＣＤ、１１５はタッチパネル、１１６はＧＰＳ用アンテナ、１１７はＧＰＳ、１１８は蓄積部、１１９は不揮発性記憶部、１２０は制御部、１２１は指令入力部、１２２は記憶部、１２３は無線ＬＡＮ制御部、１２４は無線ＬＡＮ制御用ＲＡＭ、１２５は無線ＬＡＮ用アンテナである。
【００５７】
制御部１２０は、不揮発性記憶部１１９に記憶されているプログラムに従って、デジタル放送受信部１０２、デコーダ部１０３、アナログ放送受信部１０６、エンコーダ部１０７、ＶＲＡＭ１０９、切り替え部１１０、Ａｕｄｉｏ ＤＡＣ１１１、ＬＣＤ制御部１１３、ＧＰＳ１１７、蓄積部１１８、指令入力部１２１、記憶部１２２、無線ＬＡＮ制御部１２３の制御を行なう。
【００５８】
デジタル放送選局処理は、デジタル放送用アンテナ１０１とデジタル放送受信部１０２が視聴者の所望する放送局を含むトランスポンダから出力されるトランスポートストリームを受信し、デコーダ部１０３が受信されたトランスポートストリームの中から視聴者の所望する放送局のＭＰＥＧ２データを抽出し、デジタルオーディオデータ、デジタルビデオデータに復元することで実現される。
【００５９】
アナログ放送選局処理は、アナログ放送用アンテナ１０５とアナログ放送受信部１０６が視聴者の所望する放送局を受信することで実現される。
【００６０】
デジタル放送の無線ＬＡＮ送信処理は、デコーダ部１０３にて抽出された視聴者の所望する放送局のＭＰＥＧ２データが、制御部１２０の受信放送データ作成手段によりヘッダーとＭＰＥＧ４データから構成される受信放送データに変換され、無線ＬＡＮ制御部１２３により無線ＬＡＮ用アンテナ１２５を通じて送信されることで実現される。
【００６１】
アナログ放送の無線ＬＡＮ送信処理は、アナログ放送受信部１０６にて受信されたアナログオーディオデータ、アナログビデオデータが、エンコーダ１０７にてＭＰＥＧ４データに変換され、制御部１２０によりヘッダーが付加されて受信放送データが作成され、無線ＬＡＮ制御部１２３により無線ＬＡＮ用アンテナ１２５を通じて送信されることで実現される。
【００６２】
図２は本発明の実施形態における車載用テレビ放送受信装置の不揮発性記憶部１１９と記憶部１２２に記憶される各種データを示したものである。図２において、２０１は携帯受信機器(１)、２０２は携帯受信機器(１)デジタル放送受信データ、２０３は携帯受信機器(１)受信チューナー、２０４は携帯機器(１)制御チューナー、２０５は携帯受信機器(２)、２０６は携帯受信機器(２)デジタル放送受信データ、２０７は携帯受信機器(２)受信チューナー、２０８は携帯機器(２)制御チューナー、２０９は携帯受信機器(Ｎ)、２１０は携帯受信機器(Ｎ)デジタル放送受信データ、２１１は携帯受信機器(Ｎ)受信チューナー、２１２は携帯機器(Ｎ)制御チューナー、２１３は携帯受信機器(１)デジタル放送受信要求、２１４は携帯受信機器(１)アナログ放送受信要求、２１５は携帯受信機器(１)デジタルチューナー制御コマンド、２１６は携帯受信機器(１)アナログチューナー制御コマンド、２１７は携帯受信機器(２)デジタル放送受信要求、２１８は携帯受信機器(２)アナログ放送受信要求、２１９は携帯受信機器(２)デジタルチューナー制御コマンド、２２０は携帯受信機器(２)アナログチューナー制御コマンド、２２１は携帯受信機器(Ｎ)デジタル放送受信要求、２２２は携帯受信機器(Ｎ)アナログ放送受信要求、２２３は携帯受信機器(Ｎ)デジタルチューナー制御コマンド、２２４は携帯受信機器(Ｎ)アナログチューナー制御コマンドである。
【００６３】
携帯受信機器(１)２０１、携帯受信機器(２)２０５、携帯受信機器(Ｎ)２０９は、無線ＬＡＮに接続して、送信されたデータを受信する携帯受信機器を示し、各携帯受信機器がもつ固有のＭＡＣアドレスで示される。携帯受信機器(１)デジタル放送受信データ２０２、携帯受信機器(２)デジタル放送受信データ２０６、携帯受信機器(Ｎ)デジタル放送受信データ２１０は、各携帯受信機器がデジタル放送の画像データ、音声データ、文字データのどれを受信するかを示す。携帯受信機器(１)受信チューナー２０３、携帯受信機器(２)受信チューナー２０７、携帯受信機器(Ｎ)受信チューナー２１１は、各携帯受信機器がデジタル放送受信部、アナログ放送受信部のどちらで受信した放送を受信するかを示す。携帯受信機器(１)制御チューナー２０４、携帯受信機器(２) 制御チューナー２０８、携帯受信機器(Ｎ)制御チューナー２１２は、各携帯受信機器がデジタル放送受信部、アナログ放送受信部のどちらを制御するかを示すが、一組のアンテナ、受信部に対してひとつの携帯受信機器しか割り当てることができないため、携帯受信機器の中には割り当てから外れるものもある。携帯受信機器(１)デジタル放送受信要求２１３、携帯受信機器(２)デジタル放送受信要求２１７、携帯受信機器(Ｎ)デジタル放送受信要求２２１は、各携帯受信機器からのデジタル放送受信要求を示す。携帯受信機器(１)アナログ放送受信要求２１４、携帯受信機器(２)アナログ放送受信要求２１８、携帯受信機器(Ｎ)アナログ放送受信要求２２２は、各携帯受信機器からのアナログ放送受信要求を示す。携帯受信機器(１)デジタルチューナー制御コマンド２１５、携帯受信機器(２)デジタルチューナー制御コマンド２１９、携帯受信機器(Ｎ)デジタルチューナー制御コマンド２２３は、各携帯受信機器からデジタル放送受信部１０２、デコーダ部１０３への制御コマンドを示す。携帯受信機器(１)アナログチューナー制御コマンド２１６、携帯受信機器(２)アナログチューナー制御コマンド２２０、携帯受信機器(Ｎ)アナログチューナー制御コマンド２２４は、各携帯受信機器からアナログ放送受信部１０６、エンコーダ部１０７への制御コマンドを示す。
【００６４】
ここで、請求項２の携帯受信機器管理手段は、不揮発性記憶部１１９に、携帯受信機器（１）２０１、携帯受信機器（２）２０５、携帯受信機器（Ｎ）２０９を記憶して管理する。請求項６のデジタル放送受信データ管理手段は、不揮発性記憶部１１９に、携帯受信機器（１）デジタル放送受信データ２０２、携帯受信機器（２）デジタル放送受信データ２０６、携帯受信機器（Ｎ）デジタル放送受信データ２１０を記憶して管理する。請求項１１の受信チューナー管理手段は、不揮発性記憶部１１９に、携帯受信機器（１）受信チューナー２０３、携帯受信機器（２）受信チューナー２０７、携帯受信機器（Ｎ）受信チューナー２１１を記憶して管理する。請求項１６の制御チューナー管理手段は、不揮発性記憶部１１９に、携帯受信機器（１）制御チューナー２０４、携帯受信機器（２）制御チューナー２０８、携帯受信機器（Ｎ）制御チューナー２１２を記憶して管理する。
【００６５】
図３は本発明の実施形態における車載用テレビ放送受信装置の無線通信における送受信データのフォーマットを示したものである。図３において、３０１は画像送信データ、３０２は音声送信データ、３０３は文字送信データ、３０４は画像ヘッダー、３０５は画像データ、３０６は識別子、３０７は携帯受信機器数、３０８は携帯受信機器情報、３０９は音声ヘッダー、３１０は音声データ、３１１は識別子、３１２は携帯受信機器数、３１３は携帯受信機器情報、３１４は文字ヘッダー、３１５は文字データ、３１６は識別子、３１７は携帯受信機器数、３１８は携帯受信機器情報、３１９はコマンドヘッダー、３２０はコマンドデータ、３２１は識別子、３２２は携帯受信機器情報である。
【００６６】
識別子３０６は画像、３１１識別子は音声、識別子３１６はデータ放送、識別子３２１はコマンドを示す。
【００６７】
携帯受信機器数３０７は画像データを受信する携帯受信機器の数、携帯受信機器数３１２は音声データを受信する携帯受信機器の数、携帯受信機器数３１７は文字データを受信する携帯受信機器の数を示す。
【００６８】
携帯受信機器情報３０８は画像データを受信する携帯受信機器のＭＡＣアドレス、携帯受信機器情報３１３は音声データを受信する携帯受信機器のＭＡＣアドレス、携帯受信機器情報３１８は文字データを受信する携帯受信機器のＭＡＣアドレス、携帯受信機器情報３２２はコマンドを送信する携帯受信機器のＭＡＣアドレスを示す。
【００６９】
画像データ３０５はデジタル放送の画像の部分のＭＰＥＧ４データ、音声データ３１０はデジタル放送の音声の部分のＭＰＥＧ４データ、文字データ３１５はデジタル放送のデータ放送の部分のＭＰＥＧ４データ、コマンドデータ３２０は受信要求コマンド、チューナー制御コマンドを示す。
【００７０】
上記のように構成された車載用テレビ放送受信装置について、以下その動作を図４〜２３のフローチャートに従って説明する。
【００７１】
図４および図５に示すように、電源投入後、記憶部の初期化を行い(ＳＴＥＰ４０１)、使用者が初期設定を行う場合(ＳＴＥＰ４０２のＹＥＳ)、初期設定処理が行われる(ＳＴＥＰ４０３)。
【００７２】
機器はカーナビゲーションモード処理(ＳＴＥＰ４０４)、オーディオ、ビデオ出力モード処理(ＳＴＥＰ４０５)、車載用テレビ放送受信システムデータ設定モード処理(ＳＴＥＰ４０６)、車載用テレビ放送受信装置制御データ受信モード処理(ＳＴＥＰ４０７)、デジタル放送受信モード処理(ＳＴＥＰ４０８)、アナログ放送受信モード処理(ＳＴＥＰ４０９)、受信放送データ送信モード処理(ＳＴＥＰ４１０)等の各処理を実行する。
【００７３】
図６に示すように、カーナビゲーションモード処理は、カーナビゲーション処理を実行する(ＳＴＥＰ４１１)ことで実現される。
【００７４】
図７に示すように、オーディオ、ビデオ出力モード処理は、走行中の場合(ＳＴＥＰ４１２のＹＥＳ)、切り替え部の設定処理を行い（ＳＴＥＰ４１４）、オーディオは記憶部からの出力、ビデオはＶＲＡＭからの出力を選択する。走行中でない場合(ＳＴＥＰ４１２のＮＯ)、カーナビゲーション機能が優先されているか判断して(ＳＴＥＰ４１３)、優先されている場合(ＳＴＥＰ４１３のＹＥＳ)、切り替え部の設定処理を行い(ＳＴＥＰ４１４)、オーディオは記憶部からの出力、ビデオはＶＲＡＭからの出力を選択する。優先されていない場合(ＳＴＥＰ４１３のＮＯ)、切り替え部の設定処理を行い(ＳＴＥＰ４１５)、オーディオはデコーダ部からの出力、ビデオはデコーダ部からの出力を選択する。最後に、Ａｕｄｉｏ ＤＡＣの設定処理（ＳＴＥＰ４１６）、ＬＣＤ制御部の設定処理を行い(ＳＴＥＰ４１７)、オーディオ、ビデオをスピーカー、ＬＣＤから出力する。
【００７５】
図８に示すように、車載用テレビ放送受信装置データ設定モード処理は、ＭＡＣアドレスを設定することによる携帯受信機器の設定処理（ＳＴＥＰ４１８）、画像、音声、文字を設定することによる携帯受信機器のデジタル放送受信データの設定処理(ＳＴＥＰ４１９)、デジタル、アナログのどちらかを設定することによる携帯受信機器の受信チューナーの設定処理(ＳＴＥＰ４２０)、デジタル、アナログ、なしのどちらかを設定することによる携帯受信機器の制御チューナーの設定処理(ＳＴＥＰ４２１)を行うことで実現される。
【００７６】
図９に示すように、車載用テレビ放送受信装置制御データ受信モード処理は、受信データが車載用テレビ放送受信装置制御データであれば(ＳＴＥＰ４２２のＹＥＳ)、無線ＬＡＮで接続される携帯受信機器ひとつひとつに関して処理を行う。車載用テレビ放送受信装置制御データでなければ(ＳＴＥＰ４２２のＮＯ)、終了する。まず、携帯受信機器(１)について、受信した車載用テレビ放送受信装置制御データのコマンドヘッダーの携帯受信機器情報に携帯受信機器(１)のＭＡＣアドレスが存在する場合(ＳＴＥＰ４２３のＹＥＳ)、コマンドデータが受信要求コマンドであれば（ＳＴＥＰ４２４のＹＥＳ）、携帯受信機器(１)受信チューナーを判断して(ＳＴＥＰ４２５)、デジタルと設定されている場合（ＳＴＥＰ４２５のデジタル）、携帯受信機器(１)デジタル放送受信要求の設定を行い(ＳＴＥＰ４２７)、終了する。アナログと設定されている場合(ＳＴＥＰ４２５のアナログ)、携帯受信機器(１)アナログ放送受信要求の設定を行い(ＳＴＥＰ４２６)、終了する。なお、請求項１０の受信チューナー識別手段は、制御部が行うＳＴＥＰ４２５からＳＴＥＰ４２７まで、ＳＴＥＰ４３０からＳＴＥＰ４３１まで、ＳＴＥＰ４３５からＳＴＥＰ４３７までの処理に該当する。
【００７７】
図１２に示すように、コマンドデータがチューナー制御コマンドであれば（ＳＴＥＰ４３８のＹＥＳ）、携帯受信機器(１)制御チューナーを判断して(ＳＴＥＰ４３９)、なしと設定されている場合(ＳＴＥＰ４３９のなし)、終了する。デジタルと設定されている場合（ＳＴＥＰ４３９のデジタル）、携帯受信機器(１)デジタルチューナー制御コマンドの設定を行い(ＳＴＥＰ４４１)、終了する。アナログと設定されている場合(ＳＴＥＰ４３９のアナログ)、携帯受信機器(１)アナログチューナー制御コマンドの設定を行い(ＳＴＥＰ４４０)、終了する。コマンドがチューナー制御コマンドでなければ(ＳＴＥＰ４３８のＮＯ)、終了する。そして、図１０，１１，１３，１４に示すように、携帯受信機器(２)・・・携帯受信機器(Ｎ)に関しても携帯受信機器(１)と同様の処理を行う(ＳＴＥＰ４２８〜ＳＴＥＰ４３７、ＳＴＥＰ４４２〜ＳＴＥＰ４４９)。なお、請求項１５の制御チューナー識別手段は、制御部が行うＳＴＥＰ４３９からＳＴＥＰ４４１まで、ＳＴＥＰ４４３からＳＴＥＰ４４５まで、ＳＴＥＰ４４７からＳＴＥＰ４４９までの処理に該当する。
【００７８】
図１５に示すように、デジタル放送受信モード処理は、無線通信を介して接続しているすべての携帯受信機器の中でデジタル放送受信要求を出力している携帯受信機器がひとつでもある場合(ＳＴＥＰ４５０〜ＳＴＥＰ４５２)、デジタル放送受信部の設定処理を行い(ＳＴＥＰ４５３)、視聴者の所望する放送局を含むトランスポンダから出力されるトランスポートストリームを受信し、デコーダ部の設定処理を行い(ＳＴＥＰ４５４)、受信されたトランスポートストリームの中から視聴者の所望する放送局のＭＰＥＧ２データを抽出し、デジタルオーディオデータ、デジタルビデオデータに復元する。また、図１６に示すように、デジタルチューナーを制御できると決められたひとつの携帯受信機器がデジタルチューナー制御コマンドを出力している場合 (ＳＴＥＰ４５５〜ＳＴＥＰ４５７)、デジタル放送受信部、デコーダ部等にコマンドを設定する(ＳＴＥＰ４５８)。
【００７９】
図１７に示すように、アナログ放送受信モード処理は、無線通信を介して接続しているすべての携帯受信機器の中でアナログ放送受信要求を出力している携帯受信機器がひとつでもある場合(ＳＴＥＰ４５９〜ＳＴＥＰ４６１)、アナログ放送受信部の設定処理を行い(ＳＴＥＰ４６２)、視聴者の所望する放送局を受信する。なお、受信放送データ送信の前処理として、エンコーダ部の設定処理により（ＳＴＥＰ４６３）、受信したアナログ放送信号をＭＰＥＧ４データにエンコードする。また、図１８に示すように、アナログチューナーを制御できると決められたひとつの携帯受信機器がアナログチューナー制御コマンドを出力している場合(ＳＴＥＰ４６４〜ＳＴＥＰ４６６)、アナログ放送受信部、エンコーダ部等にコマンドを設定する(ＳＴＥＰ４６７)。
【００８０】
図１９に示すように、受信放送データ送信モード処理は、デコーダ用ＲＡＭに格納されているＭＰＥＧ２データを記憶部(ＳＴＥＰ４６８)、エンコーダ用ＲＡＭに格納されているＭＰＥＧ４データを記憶部に転送する（ＳＴＥＰ４６９）。そして、デジタル放送の画像データ、音声データ、文字データの各ヘッダーとアナログ放送の画像データ、音声データの各ヘッダーの初期化を行う（ＳＴＥＰ４７０）。次に、無線ＬＡＮで接続される携帯受信機器ひとつひとつに関して処理を行う。まず、携帯受信機器(１)について、放送受信状態である時(ＳＴＥＰ４７１のＹＥＳ)、携帯受信機器(１)受信チューナーにデジタルと設定されていて(ＳＴＥＰ４７２のデジタル)、携帯受信機器(１)デジタル放送受信データに画像、音声、データ放送と設定されている場合(ＳＴＥＰ４７３の画像、音声、文字)、デジタル放送の画像、音声、文字の各ヘッダーの携帯受信機器数をプラス１、携帯受信機器情報に携帯受信機器(１)のＭＡＣアドレスを追加する(ＳＴＥＰ４７４)。画像、音声と設定されている場合(ＳＴＥＰ４７３の画像、音声)、デジタル放送の画像、音声の各ヘッダーの携帯受信機器数をプラス１、携帯受信機器情報に携帯受信機器(１)のＭＡＣアドレスを追加する(ＳＴＥＰ４７６)。文字と設定されている場合(ＳＴＥＰ４７３の文字)、デジタル放送の文字ヘッダーの携帯受信機器数をプラス１、携帯受信機器情報に携帯受信機器(１)のＭＡＣアドレスを追加する(ＳＴＥＰ４７５)。アナログと設定されている場合（ＳＴＥＰ４７２のアナログ）、図２３に示すように、アナログ放送の画像、音声の各ヘッダーの携帯受信機器数をプラス１、携帯受信機器情報に携帯受信機器(１)のＭＡＣアドレスを追加する(ＳＴＥＰ４９５)。そして、図２０，２１，２３に示すように、携帯受信機器(２)・・・携帯受信機器(Ｎ)に関しても携帯受信機器(１)と同様の処理を行う(ＳＴＥＰ４７７〜ＳＴＥＰ４８８、ＳＴＥＰ４９６、ＳＴＥＰ４９７)。なお、請求項５のデジタル放送識別手段は、制御部が行うＳＴＥＰ４７３からＳＴＥＰ４８８までの処理に該当する。
【００８１】
次に、図２２に示すように、記憶部のＭＰＥＧ２データをＭＰＥＧ４データに変換して、デジタル放送の画像データ、音声データ、文字データを作成し(ＳＴＥＰ４８９)、デジタル放送の画像ヘッダー、音声ヘッダー、文字ヘッダーを付与して、デジタル放送の受信放送データを作成する(ＳＴＥＰ４９０)。また、記憶部のＭＰＥＧ４データからアナログ放送の画像データ、音声データを作成し(ＳＴＥＰ４９１)、アナログ放送の画像ヘッダー、音声ヘッダーを付与して、アナログ放送の受信放送データを作成する(ＳＴＥＰ４９２)。次に、記憶部に格納されているデジタル放送の受信放送データとアナログ放送の受信放送データを無線ＬＡＮ制御用ＲＡＭに転送する(ＳＴＥＰ４９３)。最後に、無線ＬＡＮ制御部の設定処理を行い(ＳＴＥＰ４９４)、受信放送データを無線で送信する。
【００８２】
図２４は本発明の実施形態における携帯電話概略ブロック図である。図２４において、５０１はマイク、５０２は音声入力部、５０３はデコーダ部、５０４はデコーダ用ＲＡＭ、５０５はＶＲＡＭ、５０６は切り替え部、５０７はＡｕｄｉｏ ＤＡＣ、５０８はスピーカー、５０９はＬＣＤ制御部、５１０はＬＣＤ、５１１は携帯電話用アンテナ、５１２は携帯電話用ＲＦモジュール、５１３は不揮発性記憶部、５１４は制御部、５１５はキー入力部、５１６は記憶部、５１７は無線ＬＡＮ制御部、５１８は無線ＬＡＮ制御用ＲＡＭ、５１９は無線ＬＡＮ用アンテナである。
【００８３】
制御部５１４は、不揮発性記憶部５１３に記憶されているプログラムに従って、音声入力部５０２、デコーダ部５０３、ＶＲＡＭ５０５、切り替え部５０６、Ａｕｄｉｏ ＤＡＣ５０７、ＬＣＤ制御部５０９、携帯電話用ＲＦモジュール５１２、キー入力部５１５、記憶部５１６、無線ＬＡＮ制御部５１７の制御を行なう。
【００８４】
上記のように構成された車載用テレビ放送受信装置を構成する携帯電話について、以下その動作を図２５〜３０のフローチャートに従って説明する。
【００８５】
図２５および図２６に示すように、電源投入後、使用者が初期設定を行う場合(ＳＴＥＰ６０１のＹＥＳ)、初期設定処理が行われる(ＳＴＥＰ６０２)。
【００８６】
機器は電話モード処理(ＳＴＥＰ６０３)、車載用テレビ放送受信装置制御データ送信モード処理(ＳＴＥＰ６０４)、受信放送データ受信モード処理(ＳＴＥＰ６０５)、受信放送データデコードモード処理(ＳＴＥＰ６０６)、オーディオ、ビデオ出力モード処理(ＳＴＥＰ６０７)等の各処理を実行する。
【００８７】
図２７に示すように、電話モード処理は、電話処理を実行する(ＳＴＥＰ６０８)ことで実現される。
【００８８】
図２８に示すように、車載用テレビ放送受信装置制御データ送信モード処理は記憶部にコマンドヘッダーとコマンドデータを作成して(ＳＴＥＰ６０９とＳＴＥＰ６１０)、無線ＬＡＮ制御用ＲＡＭに転送する（ＳＴＥＰ６１１）。そして、無線ＬＡＮ制御部の設定処理を行い(ＳＴＥＰ６１２)、送信する。
【００８９】
図２９に示すように、受信放送データ受信モード処理は、無線ＬＡＮ制御部の設定処理を行い(ＳＴＥＰ６１３)、受信放送データを受信する。次に、受信放送データのヘッダーに本携帯受信機器のＭＡＣアドレスが存在する場合(ＳＴＥＰ６１４のＹＥＳ)、無線ＬＡＮ制御用ＲＡＭに格納されている受信放送データを記憶部に転送する(ＳＴＥＰ６１５)。最後に、受信放送データから画像データ、音声データ、文字データを抽出する(ＳＴＥＰ６１６)。
【００９０】
受信放送データデコード処理は、記憶部に格納されている画像データ、音声データ、文字データをデコーダ用ＲＡＭに転送し(ＳＴＥＰ６１７)、デコーダ部の設定処理を行い(ＳＴＥＰ６１８)、デジタルオーディオデータ、デジタルビデオデータに復元する。
【００９１】
オーディオ、ビデオ出力モード処理は、電話使用中の場合(ＳＴＥＰ６１９のＹＥＳ)、切り替え部の設定処理を行い（ＳＴＥＰ６２１）、オーディオは記憶部からの出力、ビデオはＶＲＡＭからの出力を選択する。電話使用中でない場合(ＳＴＥＰ６１９のＮＯ)、受信放送データのデコード機能が優先されているか判断して(ＳＴＥＰ６２０)、優先されていない場合(ＳＴＥＰ６２０のＮＯ)、切り替え部の設定処理を行い(ＳＴＥＰ６２１)、オーディオは記憶部からの出力、ビデオはＶＲＡＭからの出力を選択する。優先されている場合(ＳＴＥＰ６２０のＹＥＳ)、切り替え部の設定処理を行い(ＳＴＥＰ６２２)、オーディオはデコーダ部からの出力、ビデオはデコーダ部からの出力を選択する。最後に、Ａｕｄｉｏ ＤＡＣの設定処理（ＳＴＥＰ６２３）、ＬＣＤ制御部の設定処理を行い(ＳＴＥＰ６２４)、オーディオ、ビデオをスピーカー、ＬＣＤから出力する。
【００９２】
なお、ＭＰＥＧ４データを第一のエンコード形式のデータ、ＭＰＥＧ２データを第一のエンコード形式と異なる第二のエンコード形式のデータとしてもよい。
【産業上の利用可能性】
【００９３】
本発明にかかる車載用テレビ放送受信装置は、無線通信機能を有し、カーナビゲーション機能が動作している時でもテレビ放送受信機能を動作させ、受信したテレビ放送信号をＭＰＥＧ４データに変換し、無線通信を介してＭＰＥＧ４データをデコードすることが可能な携帯機器にデータ送信することで、携帯機器所有者は走行中、明瞭にテレビ放送を視聴することが可能となり有用である。また、携帯機器所有者は、車載用テレビ放送受信装置がチューナーを複数搭載している場合、所望するチューナーで受信したテレビ放送の視聴が可能であり、車載用テレビ放送受信装置が受信したテレビ放送がデジタル放送の場合、画像データ、音声データ、文字データのなかで、所望するデータの視聴が可能であり、車載用テレビ放送受信装置に搭載されているチューナーの制御が可能であるため、同乗者にとって利便性が向上し有用である。
【図面の簡単な説明】
【００９４】
【図１】本発明の実施形態における車載用テレビ放送受信装置の概略ブロック図である。
【図２】本発明の実施形態における車載用テレビ放送受信装置の不揮発性記憶部と記憶部に記憶されるデータ図である。
【図３】本発明の実施形態における車載用テレビ放送受信装置の無線通信における送受信データフォーマット図である。
【図４】本発明の実施形態における車載用テレビ放送受信装置のフローチャート図である。
【図５】本発明の実施形態のフローチャート図である。
【図６】本発明の実施形態のフローチャート図である。
【図７】本発明の実施形態のフローチャート図である。
【図８】本発明の実施形態のフローチャート図である。
【図９】本発明の実施形態のフローチャート図である。
【図１０】本発明の実施形態のフローチャート図である。
【図１１】本発明の実施形態のフローチャート図である。
【図１２】本発明の実施形態のフローチャート図である。
【図１３】本発明の実施形態のフローチャート図である。
【図１４】本発明の実施形態のフローチャート図である。
【図１５】本発明の実施形態のフローチャート図である。
【図１６】本発明の実施形態のフローチャート図である。
【図１７】本発明の実施形態のフローチャート図である。
【図１８】本発明の実施形態のフローチャート図である。
【図１９】本発明の実施形態のフローチャート図である。
【図２０】本発明の実施形態のフローチャート図である。
【図２１】本発明の実施形態のフローチャート図である。
【図２２】本発明の実施形態のフローチャート図である。
【図２３】本発明の実施形態のフローチャート図である。
【図２４】本発明の実施形態における携帯電話の概略ブロック図である。
【図２５】本発明の実施形態における携帯電話のフローチャート図である。
【図２６】本発明の実施形態のフローチャート図である。
【図２７】本発明の実施形態のフローチャート図である。
【図２８】本発明の実施形態のフローチャート図である。
【図２９】本発明の実施形態のフローチャート図である。
【図３０】本発明の実施形態のフローチャート図である。
【図３１】従来の車載用テレビ放送受信装置概略ブロック図である。
【図３２】従来の車載用テレビ放送受信装置のフローチャート図
【図３３】従来のフローチャート図である。
【図３４】従来のフローチャート図である。
【図３５】従来のフローチャート図である。
【符号の説明】
【００９５】
１０１  デジタル放送用アンテナ
１０２  デジタル放送受信部
１０３  デコーダ部
１０４  デコーダ用ＲＡＭ
１０５  アナログ放送用アンテナ
１０６  アナログ放送受信部
１０７  エンコーダ部
１０８  エンコーダ用ＲＡＭ
１０９  ＶＲＡＭ
１１０  切り替え部
１１１  Ａｕｄｉｏ ＤＡＣ
１１２  スピーカー
１１３  ＬＣＤ制御部
１１４  ＬＣＤ
１１５  タッチパネル
１１６  ＧＰＳ用アンテナ
１１７  ＧＰＳ
１１８  蓄積部
１１９  不揮発性記憶部
１２０  制御部
１２１  指令入力部
１２２  記憶部
１２３  無線ＬＡＮ制御部
１２４  無線ＬＡＮ制御用ＲＡＭ
１２５  無線ＬＡＮ用アンテナ
２０１  携帯受信機器(１)
２０２  携帯受信機器(１)デジタル放送受信データ
２０３  携帯受信機器(１)受信チューナー
２０４  携帯受信機器(１)制御チューナー
２０５  携帯受信機器(２)
２０６  携帯受信機器(２)デジタル放送受信データ
２０７  携帯受信機器(２)受信チューナー
２０８  携帯受信機器(２)制御チューナー
２０９  携帯受信機器(Ｎ)
２１０  携帯受信機器(Ｎ)デジタル放送受信データ
２１１  携帯受信機器(Ｎ)受信チューナー
２１２  携帯受信機器(Ｎ)制御チューナー
２１３  携帯受信機器(１)デジタル放送受信要求
２１４  携帯受信機器(１)アナログ放送受信要求
２１５  携帯受信機器(１)デジタルチューナー制御コマンド
２１６  携帯受信機器(１)アナログチューナー制御コマンド
２１７  携帯受信機器(２)デジタル放送受信要求
２１８  携帯受信機器(２)アナログ放送受信要求
２１９  携帯受信機器(２)デジタルチューナー制御コマンド
２２０  携帯受信機器(２)アナログチューナー制御コマンド
２２１  携帯受信機器(Ｎ)デジタル放送受信要求
２２２  携帯受信機器(Ｎ)アナログ放送受信要求
２２３  携帯受信機器(Ｎ)デジタルチューナー制御コマンド
２２４  携帯受信機器(Ｎ)アナログチューナー制御コマンド
３０１  画像送信データ
３０２  音声送信データ
３０３  文字送信データ
３０４  画像ヘッダー
３０５  画像データ
３０６  識別子
３０７  携帯受信機器数
３０８  携帯受信機器情報
３０９  音声ヘッダー
３１０  音声データ
３１１  識別子
３１２  携帯受信機器数
３１３  携帯受信機器情報
３１４  文字ヘッダー
３１５  文字データ
３１６  識別子
３１７  携帯受信機器数
３１８  携帯受信機器情報
３１９  コマンドヘッダー
３２０  コマンドデータ
３２１  識別子
３２２  携帯受信機器情報
５０１  マイク
５０２  音声入力部
５０３  デコーダ部
５０４  デコーダ用ＲＡＭ
５０５  ＶＲＡＭ
５０６  切り替え部
５０７  Ａｕｄｉｏ ＤＡＣ
５０８  スピーカー
５０９  ＬＣＤ制御部
５１０  ＬＣＤ
５１１  携帯電話用アンテナ
５１２  携帯電話用ＲＦモジュール
５１３  不揮発性記憶部
５１４  制御部
５１５  キー入力部
５１６  記憶部
５１７  無線ＬＡＮ制御部
５１８  無線ＬＡＮ制御用ＲＡＭ
５１９  無線ＬＡＮ用アンテナ
７０１  デジタル放送用アンテナ
７０２  デジタル放送受信部
７０３  デコーダ部
７０４  デコーダ用ＲＡＭ
７０５  アナログ放送用アンテナ
７０６  アナログ放送受信部
７０７  ＶＲＡＭ
７０８  切り替え部
７０９  Audio DAC
７１０  スピーカー
７１１  ＬＣＤ制御部
７１２  ＬＣＤ
７１３  タッチパネル
７１４  ＧＰＳ用アンテナ
７１５  ＧＰＳ
７１６  蓄積部
７１７  不揮発性記憶部
７１８  制御部
７１９  指令入力部
７２０  記憶部
【図１】
2006245890.tif 000003
【図２】
2006245890.tif 000004
【図３】
2006245890.tif 000005
【図４】
2006245890.tif 000006
【図５】
2006245890.tif 000007
【図６】
2006245890.tif 000008
【図７】
2006245890.tif 000009
【図８】
2006245890.tif 000010
【図９】
2006245890.tif 000011
【図１０】
2006245890.tif 000012
【図１１】
2006245890.tif 000013
【図１２】
2006245890.tif 000014
【図１３】
2006245890.tif 000015
【図１４】
2006245890.tif 000016
【図１５】
2006245890.tif 000017
【図１６】
2006245890.tif 000018
【図１７】
2006245890.tif 000019
【図１８】
2006245890.tif 000020
【図１９】
2006245890.tif 000021
【図２０】
2006245890.tif 000022
【図２１】
2006245890.tif 000023
【図２２】
2006245890.tif 000024
【図２３】
2006245890.tif 000025
【図２４】
2006245890.tif 000026
【図２５】
2006245890.tif 000027
【図２６】
2006245890.tif 000028
【図２７】
2006245890.tif 000029
【図２８】
2006245890.tif 000030
【図２９】
2006245890.tif 000031
【図３０】
2006245890.tif 000032
【図３１】
2006245890.tif 000033
【図３２】
2006245890.tif 000034
【図３３】
2006245890.tif 000035
【図３４】
2006245890.tif 000036
【図３５】
2006245890.tif 000037